(57)【特許請求の範囲】
【請求項１】
カム筒を回転させることによりレンズを光軸方向に移動させるレンズ装置に設けられ、前記カム筒の外周面に形成されるとともに複数のエンコード信号に対応した複数の目盛りパターンが記録されたスケールと、前記レンズ装置の固定部にその基端部が支持されるとともに前記スケールにその先端部が接触するピックアップとを有し、該ピックアップに対するスケールの回転運動によってカム筒の回転位置を示すエンコード信号を出力するエンコーダにおいて、前記ピックアップの基端部は、先端部よりも幅広状に形成されるとともに絞り加工されて補強されていることを特徴とするレンズ装置用エンコーダ。
【請求項２】
前記レンズ装置の固定部には、前記ピックアップを保護する保護部材が設けられ、該保護部材には、ピックアップの変形を修正するための工具を挿入する孔が形成されていることを特徴とする請求項１に記載のレンズ装置用エンコーダ。
【発明の詳細な説明】
【０００１】
【発明の属する技術分野】
本発明は、ズーム機能を備えたレンズ装置において、そのレンズ装置を構成するカム筒の回転位置を検出するためのレンズ装置用エンコーダに関する。
【０００２】
【従来の技術】
近年のカメラの小型軽量化に伴い、そのカメラのズームレンズ装置を構成する各部品も小型化されている。ズームレンズ装置は、一般的に固定筒に保持されたズームレンズを、固定筒に挿入又は固定筒が挿入されたカム筒を回転させることにより、光軸方向に前後移動させてズーミングを行う。カム筒の回転位置は、エンコーダによって検出され、このエンコーダからカメラの制御部に出力されるエンコード信号に基づいて、制御部がズーム位置を把握し、カム筒を回転させるモータを制御する。
【０００３】
ズームレンズ装置に適用されるエンコーダは、カム筒の外周面に形成されるとともに複数のエンコード信号に対応した複数の目盛りパターンが記録されたスケールと、ズームレンズ装置の固定部にその基端部が支持されるとともに前記スケールにその先端部が接触するピックアップとから構成され、このピックアップに対するスケールの回転運動によってカム筒の回転位置を示すエンコード信号を出力する。勿論であるが、エンコーダにおいても小型化が図られている。
【０００４】
【発明が解決しようとする課題】
しかしながら、前記ズームレンズ装置は、ズームレンズ装置及びエンコーダが小型であるが故に、ズームレンズ装置にエンコーダを組み付ける作業は容易でなく、その組付作業時にエンコーダの薄板状に形成されたピックアップに不用意に手が触れただけで、ピックアップが変形するという不具合があった。このような不具合は、ピックアップを大型にしたり肉厚を厚くしたりして強度を上げることにより対応できるが、ピックアップに関しても大きさが規制されているため、そのような策を取ることができない。
【０００５】
本発明は、このような事情に鑑みてなされたもので、エンコーダを構成するピックアップを大型にすることなくピックアップの強度を上げることによりレンズ装置に対するエンコーダの組み付けを容易にしたレンズ装置用エンコーダを提供することを目的とする。
【０００６】
【課題を解決するための手段】
本発明は、前記目的を達成するために、カム筒を回転させることによりレンズを光軸方向に移動させるレンズ装置に設けられ、前記カム筒の外周面に形成されるとともに複数のエンコード信号に対応した複数の目盛りパターンが記録されたスケールと、前記レンズ装置の固定部にその基端部が支持されるとともに前記スケールにその先端部が接触するピックアップとを有し、該ピックアップに対するスケールの回転運動によってカム筒の回転位置を示すエンコード信号を出力するエンコーダにおいて、前記ピックアップの基端部は、先端部よりも幅広状に形成されるとともに絞り加工されて補強されていることを特徴とする。
【０００７】
請求項１に記載の発明は、ピックアップの基端部を先端部よりも幅広状に形成し、基端部を補強することにより基端部の変形を防止し、かつ、ピックアップに絞り加工を施して、曲げ及び捩じりに対する強度を上げた。これにより、本発明は、エンコーダを構成するピックアップを大型にすることなくピックアップの強度を上げることができ、よって、小型のレンズ装置に対する小型のエンコーダの組み付けが容易になる。
【０００８】
請求項２に記載の発明は、ピックアップを保護する保護部材をレンズ装置の固定部に設けるとともに、ピックアップの変形を修正するための工具を挿入する孔を保護部材に形成したことを特徴としている。したがって、保護部材の存在によって、組付時に不用意にピックアップに触れることを防止でき、また、ピックアップの変形は保護部材の孔から確認でき、更に、ピックアップが変形した場合でも、保護部材の孔を利用して、特に孔の縁を支点としてピンセット等の工具により修正できるので、保護部材を取り外すことなく、ピックアップの変形を容易に修正できる。
【０００９】
【発明の実施の形態】
以下、添付図面に従って本発明に係るレンズ装置用エンコーダの好ましい実施の形態について詳説する。
【００１０】
図１は、本発明に係るレンズ装置用エンコーダが適用されたデジタルカメラの外観構成を示す斜視図である。
【００１１】
同図に示すデジタルカメラ１は、カメラ本体が矩形の箱型に形成され、正面部にはレンズ装置２、ファインダ窓３、ストロボ調光センサ４、セルフタイマーランプ５などが所定の位置に配設されている。また、カメラ本体の上面部には、ポップアップ式のストロボ６、レリーズスイッチ７などが配設され、その背面部には、図示しないファインダ接眼部や液晶表示パネル、操作キーなどが配設されている。レンズ装置２は、沈胴繰り出し式のズームレンズ装置であり、使用時にカメラ本体から繰り出され、カメラ本体の正面部から突出する。
【００１２】
図２はレンズ装置２の分解斜視図であり、図３〜図５はレンズ装置２の側断面図である。なお、図３は沈胴状態のレンズ装置２を示しており、図４はテレ位置のレンズ装置２、図５はワイド位置のレンズ装置２を示している。
【００１３】
図２〜図５の如くレンズ装置２は、第１レンズ１１、第２レンズ１２、第１レンズ筒１３、第２レンズ筒１４、移動筒１５、固定筒１６及び回転筒（カム筒）１７で構成されている。この回転筒１７の回転位置を検出する、実施の形態のエンコーダ５０が図２の如く回転筒１７の側方に配置されている。
【００１４】
回転筒１７は、外周面にギヤ部１８が形成され、このギヤ部１８にズームモータ１９の駆動が伝達され、これによって回転筒１７は固定筒１６の外周に接しながら回動される。
【００１５】
レンズ装置２は、回転筒１７が『初期位置』から『中間位置』までの『収納回転域』で回動することで、その状態が図３に示す沈胴位置から図４に示すテレ位置に変更される。また、回転筒１７が、『中間位置』から『終端位置』までの『変倍回転域』で回動することで、図４に示すテレ位置から図５に示すワイド位置に変更される。
【００１６】
回転筒１７の内周面には、第２レンズ筒１４を光軸２０の方向に移動させるための第２レンズ用カム溝２１と、移動筒１５を光軸２０の方向にガイドするための移動筒用直進ガイド溝２２とが形成されている。この第２レンズ用カム溝２１と移動筒用直進ガイド溝２２とは、それぞれ光軸２０の回りの３分割位置に形成されている。
【００１７】
固定筒１６は、その周面に第２レンズ筒１４を光軸２０の方向に直進的にガイドするための第２レンズ用直進ガイド溝２３と、移動筒１５を光軸２０の方向に移動させるための移動筒用カム溝２４とが形成されている。第２レンズ用直進ガイド溝２３と移動筒用カム溝２４とは、それぞれ光軸２０の回りの３分割位置に形成されている。
【００１８】
移動筒１５は、外周面に移動筒用カムピン２５が設けられている。この移動筒用カムピン２５は、光軸２０の回りの３分割位置に設けられ、固定筒１６に形成された移動筒用カム溝２４と、回転筒１７に形成された移動筒用直進ガイド溝２２とに係合されている。この移動筒用カム溝２４と移動筒用直進ガイド溝２２との作用によって、回転筒１７が回転すると、移動筒１５が固定筒１６に対して回転しながら光軸２０の方向に移動する。
【００１９】
移動筒１５の内周面には、第１レンズ筒１３を光軸２０の方向に移動させるための第１レンズ用カム溝２６が形成されている。第１レンズ用カム溝２６は、光軸２０の回りの３分割位置に設けられている。
【００２０】
第１レンズ筒１３は、その内周面に直進ガイド溝２７が形成される。直進ガイド溝２７は、光軸２０と平行に形成され、第２レンズ筒１４に形成された直進ガイド突起３０が係合されている。
【００２１】
第１レンズ筒１３の外周面には、第１レンズ用カムピン２８が設けられる。第１レンズ用カムピン２８は、光軸２０の回りの所定の位置に設けられ、移動筒１５の内周面に形成された第１レンズ用カム溝２６に係合されている。第１レンズ用カム溝２６と、後述する第２レンズ筒１４の直進ガイド突起３０による直進ガイドの作用とによって、移動筒１５が回転すると、第１レンズ筒１３が移動筒１５に対して光軸２０の方向に直進的に移動する。
【００２２】
第２レンズ筒１４は、その外周面に第２レンズ用カムピン２９が設けられている。第２レンズ用カムピン２９は、光軸２０の回りの所定の位置に設けられ、第２レンズ用カム溝２１と第２レンズ用直進ガイド溝２３とに係合されている。この第２レンズ用カム溝２１と第２レンズ用直進ガイド溝２３との作用によって、回転筒１７が回転すると、第２レンズ筒１４が固定筒１６に対して光軸２０の方向に直進的に移動する。
【００２３】
また、第２レンズ筒１４には、固定筒１６との間に一対のばね３７、３７が掛けられている。ばね３７は、光軸２０の回りの所定の位置に設けられ、第２レンズ筒１４を結像面側に向けて付勢する。
【００２４】
さらに、第２レンズ筒１４の前端部には、一対のアーム３８、３８が第２レンズ筒１４回りの不等分位置に一体的に形成される。アーム３８は、第２レンズ筒１４の前端から光軸方向に平行に延びた形状であり、その前端部外周には、直進ガイド突起３０が一体的に形成されている。
【００２５】
直進ガイド突起３０は、第１レンズ筒１３の内周面に形成された直進ガイド溝２７に係合される。直進ガイド突起３０と直進ガイド溝２７との作用によって、第１レンズ筒１３が第２レンズ筒１４に対して光軸方向に直進的にガイドされる。
【００２６】
このように構成されたレンズ装置２によれば、回転筒１７が繰り出し方向に回転すると、第２レンズ筒１４が繰り出し方向に直進移動するとともに、移動筒１５が回転されながら繰り出し方向に移動する。そして、第１レンズ筒１３が、第２レンズ筒１４に形成された直進ガイド突起３０にガイドされて繰り出し方向に直進移動する。
【００２７】
ところで、実施の形態のエンコーダ５０は図２に示すように、スケール５２、５２…、及びスケール５２の本数に対応したピックアップ５４、５４…などから構成される。
【００２８】
スケール５２は、回転筒１７の外周面に沿って形成されるとともに複数のエンコード信号に対応した複数の目盛りパターンが記録されている。一方、ピックアップ５４は図６に示すように、金属製の薄板であり、レンズ装置２の固定用ブラケット５６に折り曲げ形成された支持板５８にその基板部６０が固定される。この基板部６０にピックアップ５４の基端部５４Ａが一体に形成され、ピックアップ５４の先端部５４Ｂがスケール５２に接触される。このエンコーダ５０は、ピックアップ５４に対するスケール５２の回転運動によって回転筒１７の回転位置を示すエンコード信号をカメラ１の制御部（不図示）に出力する。
【００２９】
実施の形態のピックアップ５４は、その基端部５４Ａが、先端部５４Ｂよりも幅広状に形成されている。また、基端部５４Ａには、ピックアップ５４の長手方向に沿って溝状の絞り部５４Ｃがエンボス加工等の絞り加工によって施されている。
【００３０】
一方、レンズ装置２の固定用ブラケット５６には、ピックアップ５４、５４…を外部部品などから保護するガード板（保護部材）６２が折り曲げ形成されている。ガード板６２には長孔６４がガード板６２の長手方向に沿って形成される。この長孔６４は、ピックアップ５４の先端部５４Ｂの上方位置に位置され、ピックアップ５４の変形を修正するための工具を挿入する孔として機能する。
【００３１】
このように構成された実施の形態のエンコーダ５０によれば、従来のエンコーダと比較して、ピックアップ５４の基端部５４Ａを先端部５４Ｂよりも幅広状に形成し、基端部５４Ａを補強したので、基端部５４Ａの変形を防止できる。また、ピックアップ５４Ａに絞り部５４Ｃを施したので、曲げ及び捩じりに対する強度が向上している。
【００３２】
以上の効果によって実施の形態のエンコーダ５０は、ピックアップ５４を大型にすることなくピックアップ５４の強度を上げることができ、よって、小型のレンズ装置２に対する小型のエンコーダ５０の組み付けが容易になる。
【００３３】
また、エンコーダ５０によれば、ピックアップ５４を保護するガード板６２の存在によって、エンコーダ５０やその他レンズ装置部品の組付時に不用意に作業者がピックアップ５４に触れるのを防止できる。また、ピックアップ５４の変形はガード板６２の長孔６４から確認できる。更に、ピックアップ５４が万一変形した場合でも、ガード板６２の長孔６４を利用して、特に長孔６４の縁を支点としてピンセット等の工具により修正できるので、ガード板６２を取り外すことなく、ピックアップ５４の変形を容易に修正できる。
【００３４】
【発明の効果】
以上説明したように本発明に係るレンズ装置用エンコーダによれば、ピックアップの基端部を先端部よりも幅広状に形成し、基端部を補強することにより基端部の変形を防止し、かつ、ピックアップに絞り加工を施して、曲げ及び捩じりに対する強度を上げたので、ピックアップを大型にすることなくピックアップの強度を上げることができ、よって、小型のレンズ装置に対する小型のエンコーダの組み付けが容易になる。
【００３５】
また、本発明によれば、ピックアップを保護する保護部材をレンズ装置の固定部に設けるとともに、ピックアップの変形を修正するための工具を挿入する孔を保護部材に形成したので、組付時に不用意にピックアップに触れることを防止でき、また、ピックアップが変形した場合でも、保護部材を取り外すことなく、保護部材の孔を介してピックアップの変形を容易に修正できる。
【図面の簡単な説明】
【図１】デジタルカメラの外観構成を示す斜視図
【図２】レンズ装置の分解斜視図
【図３】沈胴位置の状態のレンズ装置を示した断面図
【図４】テレ位置の状態のレンズ装置を示した断面図
【図５】ワイド位置の状態のレンズ装置を示した断面図
【図６】実施の形態のレンズ装置用エンコーダを示す斜視図
【符号の説明】
１…デジタルカメラ、２…レンズ装置、１１…第１レンズ、１２…第２レンズ、１３…第１レンズ筒、１４…第２レンズ筒、１５…移動筒、１６…固定筒、１７…回転筒、２０…光軸、２７…直進ガイド溝、３０…直進ガイド突起、５０…エンコーダ、５２…スケール、５４…ピックアップ、５８…支持板、６２…ガード板、６４…長孔
【図１】
0004152652.tif 000002
【図２】
0004152652.tif 000003
【図３】
0004152652.tif 000004
【図４】
0004152652.tif 000005
【図５】
0004152652.tif 000006
【図６】
0004152652.tif 000007